(57)【要約】【課題】製造コストを抑制しつつ、防熱板下方の壁面の掃除を容易に行い得る防熱板を提供する。【解決手段】防熱板２０は、加熱調理器２の設置場所の壁面１１に取り付けられるものである。防熱板２０は、壁面１１に固定される固定板２１と、固定板２１に連結機構２３を介して連結されて支持される回動板２２とを備える。連結機構２３は、回動板２２が固定板２１に重ね合わされて垂下する通常使用時の状態と、回動板２２がその上端側から下端側に向かうに従い所定角度で固定板２１から離れるように傾斜する壁面掃除時の状態との間で回動自在に固定板２１と回動板２２とを連結する。【選択図】図２
2018091572.tif 000002
【特許請求の範囲】
【請求項１】
加熱調理器の設置場所の壁面に取り付けられる防熱板であって、
前記壁面に固定される固定板と、
前記固定板に連結機構を介して連結されて支持される回動板とを備え、
前記連結機構は、前記回動板が前記固定板に重ね合わされて垂下する通常使用時の状態と、前記回動板がその上端側から下端側に向かうに従い所定角度で前記固定板から離れるように傾斜する壁面掃除時の状態との間で回動自在に前記固定板と前記回動板とを連結していることを特徴とする防熱板。
【請求項２】
前記連結機構は、前記固定板の上端部に設けられた支軸と、前記回動板の上端部に設けられた係止部とを備え、前記係止部は、前記支軸に対し前記所定角度の範囲内で回動自在に係合するようになっていることを特徴とする請求項１記載の防熱板。
【請求項３】
前記連結機構は、前記係止部が前記支軸に係合した状態から外れるのを規制する係合外れ規制部をさらに備えることを特徴とする請求項２記載の防熱板。
【請求項４】
前記連結機構は、前記係止部が前記所定角度以上に回動するのを規制する過剰回動規制部を備え、前記過剰回動規制部は、前記係合外れ規制部に接触することで前記所定角度以上の回動を規制するようになっている請求項３記載の防熱板。
【発明の詳細な説明】
【技術分野】
【０００１】
本発明は、加熱調理器の設置場所の壁面に取り付けられる防熱板に関する。
【背景技術】
【０００２】
特許文献１には、この種の防熱板が記載されている。特許文献１記載の防熱板は、加熱調理器としてのコンロキャビネットと建物の壁面との間に配置され、建物の壁面にねじなどにより固定して取り付けられる。また、防熱板としては、ステンレス鋼製の中空板で構成したものと、不燃材の表面をステンレス鋼板で覆ったものとが記載されている。
【先行技術文献】
【特許文献】
【０００３】
【特許文献１】特開２００３−３０２０６６号公報
【発明の概要】
【発明が解決しようとする課題】
【０００４】
ところが、コンロキャビネットと建物の壁面との間ではなく、コンロキャビネットの左右側方又は奥側の建物壁面に防熱板が配置される場合、防熱板の下方の建物壁面が露出して汚れる可能性があるが、狭い箇所であるため、掃除がしにくいという問題がある。
【０００５】
また、防熱板を取り外して掃除を行うと作業が大変なものになる。防熱板をモータなどで移動させるとなると、製造コストが高くなるという問題もある。
【０００６】
本発明はかかる諸点に鑑みてなされたものであり、その課題は、加熱調理器の設置場所の壁面に防熱板を取り付ける場合、その防熱板の構成を根本的に改善することにより、製造コストを抑制しつつ、防熱板下方の壁面の掃除を容易に行い得る防熱板を提供することにある。
【課題を解決するための手段】
【０００７】
前記の課題を解決するため、本発明は、加熱調理器の設置場所の壁面に取り付けられる防熱板として、前記壁面に固定される固定板と、前記固定板に連結機構を介して連結されて支持される回動板とを備える。前記連結機構は、前記回動板が前記固定板に重ね合わされて垂下する通常使用時の状態と、前記回動板がその上端側から下端側に向かうに従い所定角度で前記固定板から離れるように傾斜する壁面掃除時の状態との間で回動自在に前記固定板と前記回動板とを連結する。
【０００８】
この構成では、防熱板の通常使用時には、防熱板は、壁面に固定された固定板と、固定板に重ね合わされた状態で連結機構を介して支持された回動板と、これらの間の空気層などによって、加熱調理器から壁面への熱影響を抑制することができる。
【０００９】
また、防熱板下方の壁面を掃除する壁面掃除時には、回動板を上方に回動させ、回動板の下端側を固定板から離すと、防熱板下方（詳しくは固定板下方）の壁面に使用者の手が届き易くなる。また、回動板は、壁面掃除中も常に連結機構を介して固定板に支持されているため、回動板の回動操作に大きな力を必要としない。これらのことから、防熱板下方の壁面の掃除を容易に行うことができる。
【００１０】
しかも、連結機構は、モータなどの駆動部を必要とするものではないので、製造コストを抑制することができる。
【００１１】
ここで、前記連結機構は、前記固定板の上端部に設けられた支軸と、前記回動板の上端部に設けられた係止部とを備え、前記係止部は、前記支軸に対し前記所定角度の範囲内で回動自在に係合するようになっていることが好ましい。
【００１２】
この場合、連結機構が、固定板の上端部に設けられた支軸と回動板の上端部に設けられた係合部との係合という比較的簡単な構成により、回動板を所定角度の範囲内で回動自在に支持するものであるため、製造コストの抑制を一層図ることができる。
【００１３】
また、前記連結機構は、前記係止部が前記支軸に係合した状態から外れるのを規制する係合外れ規制部をさらに備えることが好ましい。
【００１４】
この場合、係止部が不必要に支軸に係合した状態から外れることはないので、安全に掃除を行うことができる。
【００１５】
さらに、前記連結機構は、前記係止部が前記所定角度以上に回動するのを規制する過剰回動規制部を備え、前記過剰回動規制部は、前記係合外れ規制部に接触することで前記所定角度以上の回動を規制するようになっていることが好ましい。
【００１６】
この場合、過剰回動規制部と係合外れ規制部とを相互に無関係に別々に構成する場合に比べて構成がシンプルなものになるため、その分製造が容易であり、製造コストの抑制をより一層図ることができる。
【発明の効果】
【００１７】
本発明の防熱板によれば、製造コストを抑制しながら、防熱板下方の壁面の掃除を容易に行うことができるという効果を奏する。
【図面の簡単な説明】
【００１８】
【図１】図１は、本発明の一実施形態に係る防熱板の通常使用時の状態をガスコンロの前方から見た斜視図である。
【図２】図２は、前記防熱板の壁面掃除時の状態をガスコンロの前方から見た示す斜視図である。
【図３】図３は、前記防熱板の通常使用時の状態を壁面取付側（裏面側）から見た斜視図である。
【図４】図４は、前記防熱板の壁面掃除時の状態を壁面取付側（裏面側）から見た斜視図である。
【図５】図５は、図３のＸ部の拡大図である。
【図６】図６は、図５のＥ−Ｅ線における拡大断面図である。
【図７】図７は、図４のＹ部の拡大図である。
【図８】図８は、図７のＦ−Ｆ線における拡大断面図である。
【図９】図９は、回動板装着前の状態を示す図５相当図である。
【図１０】図１０は、回動板装着途中の状態を示す図５相当図である。
【発明を実施するための形態】
【００１９】
以下、本発明を実施するための形態である実施形態を図面に基づいて説明する。
【００２０】
図１及び図２において、１は天板１ａを有するキッチンキャビネット、２は加熱調理器としてのガスコンロであり、このガスコンロ２は、キッチンキャビネット１の天板１ａに形成された開口部を通してキッチンキャビネット１内に落とし込んで設置されるビルトイン式のものである。なお、以下の説明では、キッチンキャビネット１を使用する使用者から見て手前方向を前方、奥方向を後方とし、左右方向を定義するものとする。
【００２１】
ガスコンロ２は、天板１ａの開口部から露出する上プレート３と、上プレート３に設けられた３つのコンロバーナー４，５，６とを備える。３つのコンロバーナー４〜６のうち、２つのコンロバーナー４，５は、上プレート３の前部側に左右方向に並んで設けられ、１つのコンロバーナー６は、上プレート３の後部側に設けられている。上プレート３の各コンロバーナー４〜６の周囲にはそれぞれ五徳７が配置されている。各コンロバーナー４〜６は、温度センサ８を有している。
【００２２】
キッチンキャビネット１は、ガスコンロ２の設置側を台所などの設置場所の壁面１１に接した状態で設置される。この場合、ガスコンロ２と壁面１１との距離が所定距離（８０ｃｍ）以内であれば防熱板を設置することが火災予防条例により定められている。このため、本発明の一実施形態に係る防熱板２０は、ガスコンロ２の左横壁１０の壁面１１に取り付けられる場合に適用したものであり、以下、その構成について説明する。
【００２３】
すなわち、防熱板２０は、図３及び図４にも示すように、壁面１１に固定される固定板２１と、固定板２１に連結機構２３を介して連結されて支持される回動板２２とを備える。
【００２４】
固定板２１は、本実施形態では、全体が矩形状でかつ厚さ１．５ｍｍのアルミ板であるが、固定板２１の形状、厚さ及び材質は、これに限定されない。
【００２５】
固定板２１は、その壁面取付側（裏面側）の複数箇所（図では６箇所）にそれぞれネジ挿通管３１を有する。そして、ネジ挿通管３１を通して止めネジを壁面１１にねじ込むことで、固定板２１が壁面１１に対し、ネジ挿通管３１の長さ分に相当する空気層３５（図６参照）を介在して固定される。
【００２６】
また、固定板２１は、回動板側（表面側）に膨出する複数の円錐台形状の膨出部３２を有する。そして、回動板２２が固定板２１に重ね合わされて垂下する状態（防熱板２０の通常使用時の状態）では、固定板２１と回動板２２との間に、膨出部３２の膨出寸法分に相当する空気層３３（図６参照）が介在するようになっており、空気層３３の厚さは４ｍｍ程度である。この空気層３３及び固定板２１と壁面１１との間の空気層３５により、ガスコンロ２から左横壁１０の壁面１１への熱影響が抑制される。
【００２７】
さらに、固定板２１の周縁部のうち、下縁部など使用者の手が触れる可能性のある部分は、リブ３４を設けて手が触れても痛くないようにしている。
【００２８】
回動板２２は、本実施形態では、厚さ０．５ｍｍのステンレス鋼板であるが、回動板２２の厚さ及び材質は、これに限定されない。また、回動板２２は、固定板２１よりも一回り大きい矩形状のものである。
【００２９】
さらに、回動板２２の周縁部は、その略全周に亘って裏側に折り返すヘミング加工が施されている。
【００３０】
連結機構２３は、図１及び図３に示すように回動板２２が固定板２１に重ね合わされて垂下する通常使用時の状態と、図２及び図４に示すように回動板２２がその上端側から下端側に向かうに従い所定角度θ（図８参照）で固定板２１から離れるように傾斜する壁面掃除時の状態との間で回動自在に固定板２１と回動板２２とを連結している。連結機構２３は、固定板２１及び回動板２２の上端部の２箇所にそれぞれ設けられている。なお、２箇所の連結機構２３は、左右対称であることを除き、基本的構成が同じであるので、以下の説明では、左横壁１０の前部側に対応する側（図３及び図４で右側）の連結機構２３について、図５〜図１０を用いながら述べる。
【００３１】
連結機構２３は、図５〜図８に示すように、固定板２１の上端部に設けられた支軸４１と、回動板２２の上端部に設けられた係止部としてのフック部材４２とを備える。
【００３２】
支軸４１を設けるために、固定板２１の上端部に、上端から矩形状に切り欠いてなる切り欠き部４３が形成されているとともに、この切り欠き部４３の両側縁部に、それぞれ壁面１１側に突出するブラケット４４，４５が固定されている。そして、支軸４１は、その両端部を、それぞれブラケット４４，４５に設けられた挿通孔に挿通させることで、ブラケット４４，４５間に水平な状態で架設されている。なお、支軸４１をブラケット４４，４５間に架設するために、一方のブラケット４５は、切り欠き部４３の側縁部に対しネジ止めにより取り外し可能に固定されている。また、ブラケット４４，４５の壁面１１側への突出寸法は、ネジ挿通管３１の長さ寸法と同一であり、固定板２１を壁面１１に固定したときには、ブラケット４４，４５の突出先端が、ネジ挿通管３１と共に壁面１１に接触するようになっている。
【００３３】
フック部材４２は、図６及び図８に示すように、回動板２２の上端部に溶接又はカシメにより固定された矩形状の固定部４２ａと、固定部４２ａの横幅方向両端からそれぞれ固定板２１側に突出する２つのフック部４２ｂとを備える。フック部４２ｂには、支軸４１と係合可能な係合溝４７が形成されており、係合溝４７は、固定部４２ａと平行に延びる溝主部４７ａと、溝主部４７ａに支軸４１を導入するための溝開口部４７ｂとを有する。溝開口部４７ｂは、図６に示すように回動板２２が固定板２１に重ね合わされて垂下する状態のとき（防熱板２０の通常使用時）、溝主部４７ａの下端部から壁面１１側に向かうに従って上方に傾斜している。
【００３４】
そして、固定板２１に回動板２２を装着するときには、先ず、図９に示すように、回動板２２の下端側を上端側よりも固定板２１から離した状態でフック部材４２を支軸４１に近付け、フック部材４２の係合溝４７の溝開口部４７ｂから支軸４１を係合溝４７の溝主部４７ａ内に挿入する。続いて、図１０に示すように、回動板２２の下端側を上端側から垂下した状態にするとともに、回動板２２を少し下方に下ろして、支軸４１を係合溝４７の溝主部４７ａの上端に係合させる。これにより、フック部材４２が支軸４１に対し、所定角度θの範囲内で回動自在に係合する。
【００３５】
連結機構２３は、図５〜図８に示すように、フック部材４２が支軸４１に係合した状態から外れるのを規制する係合外れ規制部としてのストッパーネジ５０をさらに備える。ストッパーネジ５０は、一方のブラケット４４に形成されたネジ挿通孔５１（図９又は図１０参照）から挿通されているとともに、他方のブラケット４５に形成されたネジ孔５２（図９又は図１０参照）に対しねじ込まれている。これにより、ストッパーネジ５０は、支軸４１との間にフック部材４２のフック部４２ｂの上部側（係合溝４７の溝主部４７ａの上端より上側の部位）を挟んだ状態で２つのブラケット４４，４５間に架設されている。なお、固定板２１に回動板２２を装着するときには、ストッパーネジ５０は、予めブラケット４４，４５間から取り外され、フック部材４２を支軸４１に係合させた後にブラケット４４，４５間に架設される。
【００３６】
さらに、連結機構２３は、図６及び図８に示すように、フック部材４２が所定角度θ以上に回動するのを規制する過剰回動規制部５３を備える。図６に示すように回動板２２が固定板２１に重ね合わされて垂下する状態のとき、フック部材４２のフック部４２ｂの上縁４２ｃのうち、固定部４２ａに近い基端側の上縁４２ｄは、固定部４２ａの上縁と同じ高さ位置に位置するが、固定部４２ａから離れた先端側の上縁４２ｅは、ストッパーネジ５０との干渉を避けるために、基端側の上縁４２ｄよりも低い位置に位置しかつ支軸４１の軸心を中心点とする円弧状に形成されている。フック部４２ｂの上縁４２ｃのうちの、先端側の上縁４２ｅと基端側の上縁４２ｄとの間の段差部４２ｆにより、過剰回動規制部５３が構成されている。過剰回動規制部５３は、ストッパーネジ５０に接触することで所定角度θ以上の回動を規制するようになっている。なお、所定角度θは、回動板２２を壁面掃除時の状態に回動させたとき、回動板２２の下端がガスコンロ２の前部左側のコンロバーナー４の温度センサ８に接触しないように定められており、本実施形態では１５°程度である。
【００３７】
次に、防熱板２０の作用効果について説明する。防熱板２０の通常使用時には、防熱板２０は、その取付面であるガスコンロ２の左横壁１０の壁面１１と、この壁面１１に固定された固定板２１との間の空気層３５と、固定板２１とこの固定板２１に重ね合わされた状態で連結機構２３を介して支持された回動板２２との間の空気層３３によって、ガスコンロ２から壁面１１への熱影響を抑制することができる。なお、このとき、防熱板２０下方の壁面１１は、僅かであるが露出して汚れる可能性があるため、次に述べる掃除が必要になる。
【００３８】
また、防熱板２０下方の壁面１１を掃除する壁面掃除時には、使用者は、予め、ガスコンロ２の３つのコンロバーナー４〜６のうち、防熱板２０に近い前部左側のコンロバーナー４の五徳７を取り除く。その後、図２に示すように、使用者が回動板２２を上方に回動させ、回動板２２の下端側を固定板２１から離すと、固定板２１下方の壁面１１に使用者の手が届き易くなる。また、回動板２２は、壁面掃除中も常に連結機構２３を介して固定板２１に支持されているため、回動板２２の回動操作に大きな力を必要としない。これらのことから、固定板２１下方ひいては防熱板２０下方の壁面１１の掃除を容易に行うことができる。なお、掃除後、使用者が回動板２２から手を離すと、回動板２２は、自重により下方に回動し、通常使用時の状態に戻る。
【００３９】
しかも、連結機構２３は、モータなどの駆動部を必要とするものではないので、製造コストを抑制することができる。
【００４０】
特に、本実施形態では、連結機構２３は、固定板２１の上端部に設けられた支軸４１と、回動板２２の上端部に設けられたフック部材４２とを備え、フック部材４２は、その係合溝４７で支軸４１に対し所定角度θの範囲内で回動自在に係合している。このような比較的簡単な構成により、回動板２２を所定角度θの範囲内で回動自在に支持するものであるため、製造コストの抑制を一層図ることができる。
【００４１】
また、連結機構２３は、フック部材４２が支軸４１に係合した状態から外れるのを規制するストッパーネジ５０をさらに備えるため、フック部材４２が不必要に支軸４１に係合した状態から外れることはなく、安全に掃除を行うことができる。
【００４２】
さらに、連結機構２３は、フック部材４２が所定角度θ以上に回動するのを規制する過剰回動規制部５３を備え、この過剰回動規制部５３は、ストッパーネジ５０に接触することで所定角度θ以上の回動を規制するようになっている。この場合、過剰回動規制部５３とストッパーネジ５０つまり係合外れ規制部とを相互に無関係に別々に構成する場合に比べて構成がシンプルなものになるため、その分製造が容易であり、製造コストの抑制をより一層図ることができる。
【００４３】
なお、本発明は前記実施形態に限定されるものではなく、その他種々の形態を包含するものである。例えば前記実施形態では、連結機構２３の支軸４１を固定板２１の上端部に設け、連結機構２３の係止部であるフック部材４２を回動板２２の上端部に設ける構成にしたが、本発明は、逆に、連結機構２３の支軸を回動板２２の上端部に設け、連結機構２３の係止部を固定板２１の上端部に設ける構成にしてもよい。ただし、この場合、係止部は、支軸を所定角度の範囲内で回動自在に支持するように構成する必要がある。
【００４４】
また、前記実施形態では、壁面１１と固定板２１との間の空気層３５と、固定板２１と回動板２２との間の空気層３３とにより、ガスコンロ２から壁面１１への熱影響を抑制するようにしたが、本発明は、このような空気層に加えて、あるいは空気層の代わりに、例えば回動板２２を、不燃材の表面をステンレス鋼板で覆う構成にしてもよい。
【００４５】
さらに、本発明は、前記実施形態の如くガスコンロ２の左横壁１０の壁面１１に取り付けられる防熱板２０に限らず、加熱調理器の設置場所の左右横壁の壁面又は奥壁の壁面に取り付けられる防熱板に広く適用することができる。
【符号の説明】
【００４６】
２    ガスコンロ（加熱調理器）
１１    壁面
２０    防熱板
２１    固定板
２２    回動板
２３    連結機構
４１    支軸
４２    フック部材（係止部）
５０    ストッパーネジ（係合外れ規制部）
５３    過剰回動規制部
【図１】
2018091572.tif 000003
【図２】
2018091572.tif 000004
【図３】
2018091572.tif 000005
【図４】
2018091572.tif 000006
【図５】
2018091572.tif 000007
【図６】
2018091572.tif 000008
【図７】
2018091572.tif 000009
【図８】
2018091572.tif 000010
【図９】
2018091572.tif 000011
【図１０】
2018091572.tif 000012